(57)【特許請求の範囲】
【請求項１】
水、ジュース、紅茶、日本茶等の市販の飲料容器の口部に栓部材を取付け、この栓部材を下方に向けた姿勢で前記飲料容器を容器保持部に取付け、この容器保持部の下端部の給液口から前記飲料容器内の飲料を前記栓部材の開閉により供給する冷却飲料供給装置であって、
前記容器保持部が冷却機能を有する箱体の扉の後面側に設けられたポケットにより形成され、
前記給液口が前記扉の前面側に設けられ、
前記容器保持部が、前記飲料容器の後面に当接して当該容器の後方への落下を防止する保持部を有し、この保持部が、前記ポケットの後壁の上端部に配された水平軸に回動可能に配されて、該水平軸から上方に延びる保持部上部が、前記飲料容器の前記容器保持部への着脱時に後方に回動し、前記水平軸から下方に延びる保持部下部が、取り付けられた飲料容器により前記ポケットの後壁の前面に押し付けられて、前記保持部上部の後方への回動が規制される
ことを特徴とする冷却飲料供給装置。
【請求項２】
水、ジュース、紅茶、日本茶等の市販の飲料容器の口部に栓部材を取付け、この栓部材を下方に向けた姿勢で前記飲料容器を容器保持部に取付け、この容器保持部の下端部の給液口から前記飲料容器内の飲料を前記栓部材の開閉により供給する冷却飲料供給装置であって、
前記栓部材が、上下に移動して飲料の流路を開閉する弁と、この弁を閉状態に付勢する付勢部材とを備え、
前記容器保持部の下端部に前記栓部材の前記弁を上方に押し上げて前記流路を開状態にする弁操作部が配され、
前記付勢部材の付勢力が、前記飲料容器の容器本体の重量と前記栓部材の重量との和よりも小さい
ことを特徴とする冷却飲料供給装置。
【請求項３】
前記弁が硬質部材によって補強されたことを特徴とする請求項２記載の冷却飲料供給装置。
【請求項４】
前記容器保持部が冷却機能を有する箱体の扉の後面側に設けられ、
前記給液口が前記扉の前面側に設けられ、
前記容器保持部の下端部に、前記扉を貫通して前記栓部材と前記給液口とを接続する給液経路部が配され、この給液経路部が分割可能に形成された
ことを特徴とする請求項１又は２記載の冷却飲料供給装置。
【発明の詳細な説明】
【０００１】
【発明の属する技術分野】
本発明は、冷蔵庫、冷凍冷蔵庫等の冷却機能を有する種々の箱体に適用可能な冷却飲料供給装置に関する。
【０００２】
【従来の技術及び発明が解決しようとする課題】
従来より、冷たい飲料水を供給する装置として、冷却機能を有する箱体内に冷水用の専用タンクを設置し、箱体外部からその冷水を取出す冷水器が一般に普及している。また、以前には、冷蔵庫の扉内側に冷水用の専用タンクを設置してその扉外部から冷水を取出す冷水器があった。
【０００３】
このような従来の冷水器では、専用タンクを使用しているため、長期間の使用によって、水に含まれているミネラル分等の物質や水垢が当該タンク内面に付着する。そのため、頻繁にタンク内面を清掃しなければならず、手入れが面倒であるという問題がある。また、このような専用タンクを有する冷水器では、しばらく使用しない状態が続くとカビ等が発生して衛生的にも問題がある。
【０００４】
特に、近年広く普及している、ミネラルウォータやお茶等の飲料をペットボトルに入れたペットボトル飲料を上記専用タンクに入れて飲料を供給する場合、これら市販のペットボトル飲料の「水」は通常ほとんどミネラルウォータであるため、水道水よりもミネラル分が多く、よって、上述した手入れや衛生上の問題がさらに促進されてしまう。この問題は、お茶等の水以外の飲料を供給する場合に、その沈殿物などによってより顕著に現われる。
【０００５】
そこで、本発明は、上記の点に鑑み、手入れが簡便であり、かつ衛生的である冷却飲料供給装置を提供することを目的とする。
【０００６】
【課題を解決するための手段】
本発明の冷却飲料供給装置は、水、ジュース、紅茶、日本茶等の市販の飲料容器の口部に栓部材を取付け、この栓部材を下方に向けた姿勢で前記飲料容器を容器保持部に取付け、この容器保持部の下端部の給液口から前記飲料容器内の飲料を前記栓部材の開閉により供給するものであり、さらに以下の構成を備える。
【０００８】
請求項１の冷却飲料供給装置では、前記容器保持部が冷却機能を有する箱体の扉の後面側に設けられたポケットにより形成され、前記給液口が前記扉の前面側に設けられ、前記容器保持部が、前記飲料容器の後面に当接して当該容器の後方への落下を防止する保持部を有し、この保持部が、前記ポケットの後壁の上端部に配された水平軸に回動可能に配されて、該水平軸から上方に延びる保持部上部が、前記飲料容器の前記容器保持部への着脱時に後方に回動し、前記水平軸から下方に延びる保持部下部が、取り付けられた飲料容器により前記ポケットの後壁の前面に押し付けられて、前記保持部上部の後方への回動が規制される。
【０００９】
請求項２の冷却飲料供給装置では、前記栓部材が、上下に移動して飲料の流路を開閉する弁と、この弁を閉状態に付勢する付勢部材とを備え、前記容器保持部の下端部に前記栓部材の前記弁を上方に押し上げて前記流路を開状態にする弁操作部が配され、前記付勢部材の付勢力が、前記飲料容器の容器本体の重量と前記栓部材の重量との和よりも小さい。
【００１０】
本発明の冷却飲料供給装置においては、前記弁が硬質部材によって補強されてもよい。
【００１１】
また、本発明の冷却飲料供給装置においては、前記容器保持部が冷却機能を有する箱体の扉の後面側に設けられ、前記給液口が前記扉の前面側に設けられ、前記容器保持部の下端部に、前記扉を貫通して前記栓部材と前記給液口とを接続する給液経路部が配され、この給液経路部が分割可能に形成されてもよい。
【００１２】
本発明において、市販の飲料容器とは、合成樹脂製又はガラス製の容器など（例えば、ペットボトルやガラス瓶など）に、水、お茶、ジュースなどの飲料が充填されたものであって、市販されているものをいう。特に、上記ペットボトルと称される、ポリエチレンテレフタレートなどのポリエステル樹脂より形成されたボトルに飲料を充填したものは、取扱性などの点より好適である。
【００１３】
【作用】
本発明の冷却飲料供給装置では、市販の飲料容器の口部を封止する栓に代えて栓部材を取付けて、この栓部材を下方に向けた姿勢で飲料容器を容器保持部に取付ける。そして、この容器内の飲料を、栓部材を開閉させることにより、容器保持部の下端部の給液口から取出す。すなわち、市販の飲料容器の当該容器を飲料供給用のタンクとして使用し、一本毎に新しいものに更新するので、従来の専用タンクのように内面に水垢やミネラル分が付着することがない。
【００１４】
加えて、請求項１の冷却飲料供給装置であると、箱体の扉後面側に配された飲料容器の後面に当接してその容器の後方への落下を防止する保持部の上部が後方に回動可能であるため、扉を開けて飲料容器を容器保持部に着脱する際に、保持部の上部を手前に回動させることができ、よって、飲料容器の落下防止を図るとともに該容器の着脱性に優れる。
【００１５】
また、請求項２の冷却飲料供給装置では、容器保持部の下端部に配された弁操作部の操作により、付勢部材の付勢力に抗じて栓部材の弁を上方に押し上げて飲料を供給する。その際、弁を閉状態に付勢する付勢手段の付勢力が、飲料重量を除く飲料容器本体の重量と栓部材の重量との和よりも小さいため、飲料容器内の飲料が少なくなったときに、弁操作部の操作によって、飲料容器が栓部材とともに上方に浮き上って弁が開かないということがなく、飲料が少なくなったときでも弁を確実に開けることができる。よって、飲料容器内の飲料の残留を防止することができる。
【００１６】
また、請求項３の冷却飲料供給装置では、飲料の流出を規制する栓部材の弁が硬質部材によって補強されているので、飲料容器として炭酸飲料等の容器内圧が上昇しやすいものを用いた場合であっても、当該内圧上昇により弁から飲料が噴出することがない。
【００１７】
また、請求項４の冷却飲料供給装置であると、扉後面側に配された栓部材から流出した飲料を、扉前面側に配された給液口に導く、扉を貫通する給液経路部が、分割可能に形成されているので、飲料が流れる給液経路部の内部清掃性に優れる。
【００１８】
本発明の冷却飲料供給装置においては、前記容器保持部が、前記飲料容器の両側を保持する一対の保持部を有し、この一対の保持部の間隔が、矩形の前記飲料容器の略短辺寸法に設定されてもよい。この場合、容器保持部の一対の保持部が飲料容器の両側を保持するため、飲料容器の左右両側への倒れ及びがたつきを防止することができ、また、この一対の保持部の間隔が矩形の飲料容器の略短辺寸法に設定されているため、容器保持部の幅方向寸法を小さくすることができる。特に、飲料容器がペットボトルである場合には、通常、矩形のペットボトルの短辺寸法と円形のペットボトルの直径寸法とが略同一であるため、前記保持部の間隔を矩形のペットボトルの略短辺寸法とすることにより、円形のペットボトルをもその両側を良好に保持することができ、よって、複数種のペットボトルを保持可能にしつつ、容器保持部の幅方向寸法を小さくすることができる。
【００１９】
【発明の実施の形態】
以下、本発明の一実施例に係る冷却飲料供給装置１０を図面を参照して説明する。
【００２０】
この冷却飲料供給装置１０は、図１〜３に示すように、冷蔵庫１の冷蔵室２の扉３に配されており、冷蔵室２内に配されたペットボトル４内の飲料を扉３を介して外部に供給するものである。
【００２１】
符号１２は、ペットボトル４をその口部を下方に向けた姿勢で保持するボトル取付部であり、扉３の内面側、即ち後面側に取付けられたポケット１３により形成されている。このボトル取付部１２は、ペットボトル４の着脱性向上及び飲料の安定的流出を図るため、ペットボトル４を、その口部がボトル下部よりも前方に位置するように垂線に対して前後方向にやや傾斜した姿勢に保持する。
【００２２】
符号１４は、ボトル取付部１２に保持されたペットボトル４の後方への落下を防止する回転ポケットであり、ポケット１３の後壁１３ａの上端部に配された水平軸１６に回動可能に取付けられている。この回転ポケット１４は、図４に示すように、水平軸１６から上方に延びる上部１４ａが左右の保持腕１７、１７を有して断面略コ字状に形成され、水平軸１６から下方に延びる下部１４ｂが板状に形成されている。
【００２３】
回転ポケット１４は、その下部１４ｂがポケット１３の後壁１３ａの前面に当接した状態でポケット１３の後壁１３ａ及び左右両側壁１３ｂ、１３ｃと一体化し、図３に示すように、ペットボトル４の着脱時に上部１４ａが後方に回動するよう構成されている。そして、図９に示すように、ペットボトル４の落下を防止するため、扉３後面から延設された規制部材１５によって、所定角度θ以上回動しないように回動角度が規制されている。
【００２４】
回転ポケット１４の上部１４ａの一対の保持腕１７、１７は、図５に示すように、ペットボトル４の表面に沿って屈曲した板状に形成され、ペットボトル４の両側を保持する。この一対の保持腕１７、１７の間隔Ｗは、２リットル（以下、Ｌと示す。）入りの矩形のペットボトル４ａの短辺寸法Ｍよりもやや大きく設定されている。
【００２５】
図９に示すように、水平軸１６は、ペットボトル４をボトル取付部１２に取付けたときに、ペットボトル４の胴体部分から口部への括れ部分に至る角部４ｋよりも上方に位置するように配されている。
【００２６】
符号１８は、ペットボトル４の口部が挿入される挿入孔であり、ボトル取付部１２のポケット１３の底板を貫通して形成されている。この挿入孔１８は、ボトル取付部１２の底面前端部に、水平軸により回動自在に配された可動底板２０によって、開閉可能になっている。
【００２７】
符号２２は、扉３前面に設けられた飲料取出部であり、容器取付部１２の下方において、冷蔵室２内部にやや突出して形成されている。この飲料取出部２２の底面には飲料の床面への落下を防止する受け皿２４が着脱自在に配されている。
【００２８】
符号２６は、ペットボトル４の口部に、市販時に配された栓に代えて取付けられる栓部材であり、ペットボトル４に取付けられた後に、ボトル取付部１２の挿入孔１８に挿入されて、ポケット１３の下方に配される。この栓部材２６は、図７に示すように、円筒状の胴部２８と、この胴部２８の上端部に着脱自在に結合される接続部３０と、胴部２８内にて液体の流出を規制する弁３１とよりなる。
【００２９】
胴部２８の内周面には、弁３１の座る環状の弁座２８ａが形成されており、この弁座２８ａの内周縁から弁支え２８ｂが下方に延成されている。また、弁座２８ａの内周側が液体の流路２８ｃとなる。
【００３０】
弁３１は、その上面における飲料の残留を防止するため上下両面が凸状に形成された円盤形状をなす。そして、上下２層構造であり、上層３１ａが硬質樹脂よりなる補強部材により形成され、下層３１ｂが軟質ゴムより形成されている。
【００３１】
弁３１は、弁支え２８ｂに軸方向に滑動自在に支持されたシャフト３２の上部に嵌着されており、下層３１ｂの下面が弁座２８ａに当接することによって、流路２８ｃが閉鎖されて、弁座２８ａの上方と下方の空間が遮断され、液体の流れが閉鎖される。シャフト３２の下部には、コイル状のスプリング３３が装着されており、このスプリング３３は、弁支え２８ｂとシャフト３２の下端部との間に配されて、弁３１を下方、即ち閉状態に付勢している。このスプリング３３が弁３１を弁座２８ａに対して下方に付勢する付勢力は、ペットボトル４の内部飲料を除くボトル本体の重量と栓部材２６の重量との合計重量よりも小さく設定されている。
【００３２】
胴部２８の上端部の内周面には、周方向に所定の間隔を開けて同一形状の独立した突起３４が３個形成されており、この突起３４は、所定の長さを有して周方向に延び、その一端が他端よりも軸方向にやや傾斜して形成されている。また、円筒状の胴部２８の底面には、下方に開口する凹溝３６が全周に形成されている。
【００３３】
接続部３０は、胴部２８よりもやや径大な環状のハンドル部３０ａと、その上下面からそれぞれ上下方向に延設された上下の円筒状の取付部３０ｂ、３０ｃとよりなる。両取付部３０ｂ、３０ｃは同一外径を有し、その外周面には、胴部２８上端部の各突起３４、３４、３４間に挿入され、図７の矢印Ｊの方向に接続部３０を捻ることにより、これら各突起３４、３４、３４の下方にそれぞれ潜入して係止される３個の独立した突起３８、３８、３８が、それぞれ形成されている。
【００３４】
この接続部３０と胴部２８との結合状態において、取付部３０ｂ（３０ｃ）の下端が胴部２８内に配された環状のシールゴム３９の上面に圧着され、これにより、両者間が密閉されるように構成されている。
【００３５】
上下の取付部３０ｂ、３０ｃは、口径の異なる２種類のペットボトル４の口部にそれぞれ対応するように大小異なる内径に形成されており、各内周面にはそれぞれのペットボトル４の口部の雄ネジと螺合する雌ネジが形成されている。また、ハンドル部３０ａの外周面には、滑り止めの凹凸成形すなわちローレットが施されている。
【００３６】
符号４０は、栓部材２６から流出した飲料を扉３前面側に送り出す給液経路部であり、ボトル取付部１２の下方に着脱自在に配されている。この給液経路部４０は、栓部材２６を支持するとともにそこから流出する飲料を受入れる円筒状の栓受け部４０ａと、この栓受け部４０ａの下端部前面から前方かつ下方に延設され扉３を貫通する管状の給液ノズル部４０ｂと、栓受け部４０ａの周りに周設され、ペットボトル着脱時における周囲への飲料の垂れ落ちを防止する飲料受け部４０ｃとよりなり、扉３の後面に設けられた支持部材４２上に配される。
【００３７】
栓受け部４０ａの開口上端には、栓部材２６を支持する４つの突起４４、４４…が、図８（ａ）に示すように、左右対称に前後２つずつ配されており、栓部材２６を栓受け部４０ａ上に載せたとき、栓受け部４０ａの上端部が胴部２８の凹溝３６内に配されて、突起４４、４４…が栓部材２６の下端を支持し、これにより、栓受け部４０ａの上端開口部が栓部材２６の下端部により覆われるよう構成されている。また、図８（ｂ）に示すように、栓受け部４０ａと胴部２８との結合状態において、栓受け部４０ａの上端開口部は、その４つの突起４４、４４…により、凹溝３６の上面に部分的に当接しており、これにより、この結合部には栓部材２６内に外気を供給する空気流路４６が形成されている。
【００３８】
栓受け部４０ａの底板は、給液ノズル部４０ｂに向って傾斜しており、この底板には、栓部材２６の軸方向に突出する凸部が形成されており、この凸部に弁３１のシャフト３２下面を上方に押圧するプッシャ４８が取付けられている。このプッシャ４８は、凸部を貫通する孔に周設された環状のシールゴム５０の下方において、上下方向に摺動自在に配されており、図８（ｂ）に示す位置から下方への動きは規制されている。
【００３９】
給液ノズル部４０ｂは、扉３を後側から前側に向って下方に傾斜して貫通する貫通孔５２に挿通されており、先端部が飲料取出部２２の上部から扉前面側に突出している。この先端部の下面には給液口５４が設けられている。
【００４０】
この給液ノズル部４０ｂは、図７に示すように、先端部が着脱自在の分割式に形成されており、この先端部４０ｄと給液ノズル部４０ｂ本体との着脱は、２組の係合突起５６、５６と係合凹部５８、５８によりなされる（図８参照）。
【００４１】
符号５９は、ボトル取付部１２へのペットボトル４の取付け時に、栓部材２６を給液経路部４０の栓受け部４０ａに導く栓ガイドであり、図９に示すように、ポケット１３の下方にて扉３後面側に配されて、下方ほど後方に傾斜する傾斜面を有する。
【００４２】
符号６０は、ペットボトル４内の飲料の流出を制御する制御部であり、図９に示すように、扉３の前面側から操作可能に配された操作部である押しボタン６２と、扉３の後面側の支持部材４２下方に配され、この押しボタン６２の操作により、給液経路部４０の栓受け部４０ａのプッシャ４８を上方に押し上げる機械室６４とよりなる。
【００４３】
押しボタン６２は、飲料取出部２２において扉３を内外に水平に貫通する扉貫通孔６９に摺動自在に配され、その後端が、機械室６４内に配された水平軸６６に回動自在に取付けられたレバー６８に当接している。レバー６８は、押しボタン６２が当接する垂下腕６８ａと後方に延びる作用腕６８ｂとよりなり、この作用腕６８ｂにはピン７０が突出形成されている。そして、このピン７０に係合する長孔７２を有し、レバー６８の回動を上方のプッシャ４８に伝達する伝達部材７４が、機械室６４及び支持部材４２を貫通してブッシャ４８の下面に当接するように配されている。
【００４４】
なお、給液経路部４０及び押しボタン６２が挿入されている扉３の貫通孔５２、６９には、図９に示すように、熱漏洩を低減させるため、スポンジ状のシール材がそれぞれ周設されている。
【００４５】
つぎに、この冷却飲料供給装置１０の作用について説明する。
【００４６】
（１）準備段階
本装置１０を使用する場合には、まず、ペットボトル４の口部に栓部材２６をネジ止めにより取付ける。このとき、ペットボトル４の口部の径に応じて、胴部２８に対する接続部３０の取付方向を変えておく。すなわち、口径の小さいペットボトル４の場合には、図７に示すように内径の小さい取付部３０ｂが外側に向くように、口径の大きいペットボトル４の場合には、図８（ｂ）に示すように内径の大きい取付部３０ｃが外側に向くように、接続部３０を胴部２８に取付ける。
【００４７】
胴部２８への接続部３０の取付けは、胴部２８の上端部に接続部３０の取付部３０ｂを夫々の突起３４、３８が重ならないようにして挿入し、接続部３０を少し捻る、即ちわずかに回動させるだけでなされる。このように両者の結合はワンタッチで短時間で行なえる。
【００４８】
ペットボトル４に栓部材２６を取付け後、扉３を開け、図３に示すように可動底板２０を立てた状態で、回転ポケット１４の上部１４ａを手前に傾け、ペットボトル４を上下逆さにしてボトル取付部１２内に装入する。この装入とともに回転ポケット１４が回転して、その下部１４ｂがペットボトル４の角部４ｋによりポケット１３の後壁１３ａ前面に押付けられ、これにより、回転ポケット１４の上部１４ａの後方への回動が規制され、よって、ペットボトル４が後方に落下しないように保持される。また、回転ポケット１４の左右の保持腕１７、１７が、ペットボトル４の左右両側を保持する。
【００４９】
また、この装入時において、ペットボトル４先端の栓部材２６は、ボトル取付部１２底板の挿入孔１８に挿入された後、栓ガイド５９により給液経路部４０の栓受け部４０ａ上に導かれ、図９に示すように、凹部３６内に栓受け部４０ａの開口上端が収納された状態で、給液経路部４０上に載置される。これにより飲料供給待機状態となる。
【００５０】
（２）飲料供給待機状態（図９の状態）
この状態では、ペットボトル４内の飲料の重力及びスプリング３３の付勢力によって、栓部材２６の弁３１が閉じられている。
【００５１】
（３）飲料供給状態（図１０の状態）
コップＣを飲料取出部２２の押しボタン６２に押し当てると、レバー６８が図１０において反時計周りに回動して、伝達部材７４を上方に押し上げる。そして、伝達部材７４がその上方のプッシャ４８を押し上げて、これにより、弁３１が押し上げられて、ペットボトル４内の飲料が、矢印Ｆで示すように給液経路部４０の栓受け部４０ａ内に流出し、さらに給液ノズル部４０ｂを通って、扉３前面に突出する先端の給液口５４から流出して、コップＣに注がれる。このとき、図１０に点線矢印Ｇで示すように胴部２８と給液経路部４０との結合部に設けられた空気流路４６を通って、弁３１に下方から空気が供給されて、ペットボトル４内の飲料が外気に良好に置換される。
【００５２】
コップＣを押しボタン６２から離すと、スプリング３３の付勢力及びペットボトル４内の飲料の重力により、弁３１が下って液体の流路２８ｃを閉鎖するとともに、プッシャ４８が下方に押し戻され、これにより、伝達部材７４、レバー６８及び押しボタン６２が元の状態に戻り、飲料供給待機状態に戻る。
【００５３】
（４）飲料非供給状態（図６の状態）
例えば冬場など、本装置１０を飲料供給用に供しないときには、可動底板２０を倒して、ボトル取付部１２のポケット１３底板の挿入孔１８を閉蓋する。これにより、このボトル取付部１２内にペットボトルや他の収納物を収納することができ、ボトル取付部１２がデッドスペースとならない。また、このとき、栓部材２６を可動底板２０の下方に収納することができるため、栓部材２６の置き場所に困らない。
【００５４】
以上よりなる冷却飲料供給装置１０であると以下の効果を奏する。
【００５５】
1)  市販のペットボトル飲料をそのまま飲料供給用のタンクとして使用するので、該タンクは一本毎に新しいものに更新され、従来の専用タンクのように内面に水垢やミネラル分が付着することがない。よって、手入れが簡便であり、かつ、衛生的である。また、扉３を開閉することなく冷蔵室２内の飲料を取出すことができるため、扉開閉に伴なう消費電力を削減するとともに、室内温度上昇を防止することができる。また、ペットボトル４内の飲料取出しの手間が削減される。
【００５６】
2)  ペットボトル４の両側が回転ポケット上部１４ａの一対の保持腕１７、１７により保持されているので、ペットボトル４の左右方向への倒れ及びがたつきを防止することができる。
【００５７】
3)  一対の保持腕１７、１７の間隔Ｗが、２Ｌ入りの矩形のペットボトル４ａの短辺寸法Ｍよりもやや大きく設定されているので、２Ｌ入り、１．５Ｌ入り等の様々なペットボトルに対し、矩形のもののみならず円形のものをも収納可能にしつつ、保持腕１７、１７の間隔Ｗをできるだけ狭くすることができる。
【００５８】
詳述すると、市販のペットボトル飲料のペットボトルは、２Ｌ入り、１．５Ｌ入り等種々あり、その水平断面形状は、矩形又は円形に形成されている。そして、図５に示すように、矩形のペットボトル４ａ、４ｂの短辺寸法Ｍ（正方形４ｃの場合は一辺の寸法）は、複数種のペットボトル間で略同一長さに設定されており、さらに、該短辺寸法Ｍは、円形のペットボトル４ｄの直径Ｄとも略同一の長さに設定されている。そのため、保持腕１７、１７の間隔Ｗを前記短辺寸法Ｍで規制すれば、円形のものを含む複数種のペットボトルを保持可能にしつつ、当該間隔Ｗをできるだけ狭くすることができ、これにより、ボトル取付部１２の幅方向寸法を短くして、扉３後面の他の収納スペースを確保することができる。なお、矩形のペットボトル４ａ〜ｃは、図５に示すように、通常、角が面取りされた多角形状に形成されている。
【００５９】
ここで、前記短辺寸法Ｗは９０〜１００ｍｍであることが好ましく、これにより、市販の２Ｌ入り及び１．５Ｌ入りのペットボトルを良好に保持することができる。なお、この場合におけるボトル取付部１２の奥行方向、即ち前後方向の寸法は１１５ｍｍ以上であることが好ましい。
【００６０】
4)  ペットボトル４の後方への落下を防止する回転ポケット１４が、その上部１４ａが後方に回動可能になっているため、容器取付部１２へのペットボトル４の着脱性に優れる。
【００６１】
5)  栓部材２６の弁３１を閉状態に付勢するスプリング３３の付勢力が、空のペットボトル重量と栓部材２６重量の合計より小さく設定されているので、プッシャ４８によりスプリング３３の付勢力に抗じて弁３１を上方に押し上げる際に、ペットボトル４内の飲料が少なくても、栓部材２６とともにペットボトル４が上方に浮上って弁３１が開かないということがなく、確実に弁３１を押し上げることができる。よって、ペットボトル４内の飲料の残留を防止することができる。なお、このスプリング３３の付勢力は、１００ｇｆ（０．９８Ｎ）以下であることが好ましい。
【００６２】
6)  栓部材２６の弁３１の上部に硬質部材よりなる補強層３１ａを有するので、ペットボトル飲料として、炭酸飲料等のボトル内圧が上昇しやすいものを用いたときでも、この内圧上昇によって、弁３１から飲料が噴出することがない。
【００６３】
7)  給液経路部４０の飲料が流れる栓受け部４０ａが栓部材２６により覆われているため、飲料流路への異物の侵入を防ぐことができる。
【００６４】
8)  栓部材２６と給液経路部４０との結合部に設けられた空気流路４６により、ペットボトル４内の飲料が外気に良好に置換されるので、飲料の流出がスムースである。
【００６５】
9)  栓部材２６を支持する給液経路部４０上端の４つの突起４４、４４…が、左右対称に前後２つずつ配されているので、ペットボトル４の安定的な支持が可能である。
【００６６】
10) 給液経路部４０の扉３を貫通する給液ノズル部４０ｂが、先端部４０ｄが着脱自在の分割式に形成されているので、給液経路部４０の清掃時に先端部４０ｄを外すことができ、よって、給液ノズル部４０ｂの内部清掃性に優れる。また、給液経路部４０の部品成形性に優れる。
【００６７】
【発明の効果】
本発明の冷却飲料供給装置であれば、手入れが簡便、かつ、衛生的であり、さらに、請求項１の冷却飲料供給装置であると、飲料容器の落下を防止するとともに該容器の着脱性に優れ、請求項２の冷却飲料供給装置であると、容器内の飲料の残留を防止することができ、請求項３の冷却飲料供給装置であると、炭酸飲料等の容器内圧が上昇する飲料容器を用いた場合でも弁からの飲料の噴出を防止することができ、請求項４の冷却飲料供給装置であると、飲料が流れる給液経路部の内部清掃性に優れる。
【図面の簡単な説明】
【図１】本発明の一実施例に係る冷却飲料供給装置１０を備えた冷蔵庫１の正面図である。
【図２】冷蔵庫１の冷蔵室扉３の後面を示した図である。
【図３】冷蔵庫１の冷蔵室２の要部縦断面図である。
【図４】冷却飲料供給装置１０のボトル取付部１２の要部拡大斜視図である。
【図５】ボトル取付部１２の回転ポケット１４の横断面図である。
【図６】飲料非供給状態における冷蔵室２の要部縦断面図である。
【図７】冷却飲料供給装置１０の栓部材２６と給液経路部４０の分解斜視図である。
【図８】（ａ）は、給液経路部４０の平面図であり、（ｂ）は、給液経路部４０上に栓部材２６を載せた状態の縦断面図である。
【図９】飲料供給待機状態における冷却飲料供給装置１０の要部縦断面図である。
【図１０】飲料供給状態における冷却飲料供給装置１０の要部縦断面図である。
【符号の説明】
２……冷蔵室
３……扉
４……ペットボトル
１０……冷却飲料供給装置
１２……ボトル取付部
１４……回転ポケット
１６……水平軸
１７……保持腕
２２……飲料取出部
２６……栓部材
２８ｃ…液体の流路
３１……弁
３１ａ…弁３１の上層
３３……スプリング
４０……給液経路部
４０ｂ…給液ノズル部
４０ｄ…給液ノズル部４０ｂの先端部
５４……給液口
６０……制御部
【図１】
0003639032.tif 000002
【図２】
0003639032.tif 000003
【図３】
0003639032.tif 000004
【図４】
0003639032.tif 000005
【図５】
0003639032.tif 000006
【図６】
0003639032.tif 000007
【図７】
0003639032.tif 000008
【図８】
0003639032.tif 000009
【図９】
0003639032.tif 000010
【図１０】
0003639032.tif 000011